(57)【要約】【課題】  コネクタ嵌脱時の防塵カバーの着脱作業を簡素化し作業効率を向上させる。【解決手段】  第１接続端子３０は、中間部３４の側壁に弾性接触片３５からなる短絡部が備えられているため、第１コネクタハウジング１０内において弾性接触片３５同士が接触し短絡した状態で収容される。防塵コネクタ３は、第１コネクタハウジング１０の凹状の第１嵌合部１４内に第１リテーナ６０により第１及び第２接続端子３０，４０の嵌合方向に移動可能な状態で第１ハウジング１０と連結された第１防塵カバー５０を備える。第１防塵カバー５０は第１コネクタハウジング１０の絶縁部挿入口１３に挿入され弾性接触片３５同士の接触を解除する絶縁部５２を有し、第２コネクタハウジング非嵌合時には第１嵌合部１４を防塵する。第１防塵カバー５０を第１コネクタハウジング１０に着脱する必要がないため、コネクタ嵌脱時の作業効率が向上する。【選択図】  図１
2005158454.tif 000002
【特許請求の範囲】
【請求項１】
互いに嵌合可能な構造の第１コネクタハウジング及び第２コネクタハウジングと、
これら第１及び第２コネクタハウジングにそれぞれ収容され互いに接続可能な第１及び第２接続端子と、
前記第１コネクタハウジングに直接又は間接的に、前記第１及び第２接続端子の嵌合方向にスライド自在に装着され、前記第１及び第２接続端子の嵌合時に前記第１接続端子を前記第２接続端子側に突出させる穴部が形成された第１防塵カバー部材と
を備えてなることを特徴とする防塵コネクタ。
【請求項２】
前記第１コネクタハウジングに収容されて前記第１接続端子を固定する第１リテーナと、
前記第２コネクタハウジングに収容されて前記第２接続端子を固定する第２リテーナとを備え、
前記第１リテーナは、前記第１コネクタハウジングと前記第１防塵カバー部材とを移動可能に連結し、前記第１防塵カバー部材が摺動可能に支持される支持部を備え、
前記第２リテーナは、前記第１及び第２接続端子の嵌合時に先端部で前記第１防塵カバー部材を押して前記第１防塵カバー部材をスライドさせるものである
ことを特徴とする請求項１記載の防塵コネクタ。
【請求項３】
前記第１コネクタハウジングは、前記複数の第１接続端子をそれぞれ収容する複数の第１端子収容室と、これら複数の第１端子収容室の一部とそれぞれ連通する連通部と、前記複数の第１端子収容室の各第１端子収容室間に形成され前記連通部と前記第１及び第２接続端子の嵌合方向に連通する絶縁部挿入口と、前記複数の第１端子収容室と連通し前記第１リテーナを収容するリテーナ収容室と、前記複数の第１端子収容室、絶縁部挿入口及びリテーナ収容室と連通し前記第２コネクタハウジングが内側に嵌合する周壁部を有する凹状の第１嵌合部とを備え、
前記第２コネクタハウジングは、前記第１嵌合部内に嵌る凸状の第２嵌合部と、この第２嵌合部の外側に形成され前記周壁部の外壁に嵌る外周壁部と、前記第２嵌合部の内部に形成され前記複数の第２接続端子をそれぞれ収容する複数の第２端子収容室とを備え、
前記複数の第１及び第２接続端子は、それぞれ先端側に形成されて互いに接続可能な接続部と、基端側に形成されて電線の芯線と接続される電線接続部及び前記電線を固定保持する電線固定部とを備え、
前記複数の第１接続端子は、それぞれ前記接続部及び電線接続部間に前記第１接続端子の先端側から基端側に向かって外側に斜めに開く形状の弾性接触片からなる短絡部を有する中間部を備え、
前記第１防塵カバー部材は、前記第１嵌合部内の周壁部内側に装着され、前記第１及び第２コネクタハウジングの嵌合時に前記第１嵌合部内を前記第１及び第２接続端子の嵌合方向にスライド移動可能な構造からなり、前記第１嵌合部の開口部分を塞ぐ形状の蓋部と、この蓋部に一体的に備えられ前記第１及び第２コネクタハウジングの嵌合時に前記絶縁部挿入口に挿入される絶縁部とを備え、
前記第１リテーナは、前記支持部と一体的に備えられ前記リテーナ収容室に収容される基台部を備え、
前記第２リテーナは、前記第２嵌合部の外壁部に嵌合装着される構造からなり、
前記第１防塵カバー部材の蓋部は、前記第１接続端子を前記第２接続端子側に突出させる穴部と、前記第１リテーナの支持部が挿通する挿通口とを備え、
前記第１リテーナの支持部は、先端側に形成されて前記蓋部の挿通口の前記第１嵌合部開口側周縁部に係合し前記第１防塵カバー部材の前記第１嵌合部内からの脱落を防止する係合突起部を有し、
前記第１防塵カバー部材と前記第２リテーナとは、前記第１及び第２コネクタハウジングの嵌合・離脱時に互いに係合部を介して係合され前記第１及び第２接続端子の嵌合方向に連動して移動すると共に、前記第１及び第２コネクタハウジング離脱時に前記第１防塵カバー部材が前記第１嵌合部の開口先端側まで移動したうえで前記係合部の係合状態が解除されて完全離脱する構造からなり、
前記複数の第１接続端子は、前記複数の第１端子収容室内で、前記第１及び第２コネクタハウジング離脱時には前記連通部において各第１接続端子の前記短絡部の弾性接触片同士が接触し短絡状態となると共に、前記第１及び第２コネクタハウジング嵌合時には前記連通部において前記第１防塵カバー部材の移動により前記絶縁部挿入口に挿入された前記絶縁部によって各第１接続端子の前記短絡部の弾性接触片同士の接触が解除され絶縁状態となる
ことを特徴とする請求項２記載の防塵コネクタ。
【請求項４】
前記第１接続端子の中間部は筒状に形成され、前記弾性接触片は、前記筒状の中間部の側壁に形成されていることを特徴とする請求項３記載の防塵コネクタ。
【請求項５】
前記第２コネクタハウジングの先端側開口部分を塞ぐ状態で取り付けられる第２防塵カバー部材を更に備えることを特徴とする請求項１〜４のいずれか１項記載の防塵コネクタ。
【発明の詳細な説明】
【技術分野】
【０００１】
本発明は、電気的接続を行うコネクタに関し、特に防塵機能を有する防塵コネクタに関する。
【背景技術】
【０００２】
従来より、塵や埃の浸入を防ぐことができる防塵コネクタとしては、コネクタハウジングに防塵カバーを取り付けたものが知られている（例えば、特許文献１及び２参照。）。このようにコネクタハウジングに防塵カバーを取り付けることで、コネクタ嵌合前の塵や埃の浸入を効果的に防ぐことができる。
【０００３】
【特許文献１】特開平７−２６３０７０号公報（第２−３頁、第１−５図）
【特許文献２】特開２００１−２６７００４号公報（第３−４頁、第１−２図）
【発明の開示】
【発明が解決しようとする課題】
【０００４】
しかしながら、特許文献１及び２に記載のものでは、各コネクタハウジングに別途防塵カバーを取り付けて塵や埃の浸入を防ぐ構造であるため、コネクタハウジング個体数だけ防塵カバーが必要となり、部品点数が増えると共に部品管理が複雑となり、更にコネクタハウジングへの防塵カバーの着脱作業が繁雑化するという問題がある。また、コネクタ嵌合時には各コネクタハウジングの防塵カバーを取り外して回収又は廃棄処理する必要があり、コネクタ離脱時には各コネクタハウジングに再び防塵カバーを取り付ける必要があるため、コネクタ嵌脱時の作業効率が低下してしまうおそれがある。
【０００５】
本発明は、このような問題点に鑑みてなされたもので、コネクタ嵌脱時の防塵カバーの着脱作業を簡素化し作業効率を向上させることができる防塵コネクタを提供することを目的とする。
【課題を解決するための手段】
【０００６】
本発明に係る防塵コネクタは、互いに嵌合可能な構造の第１コネクタハウジング及び第２コネクタハウジングと、これら第１及び第２コネクタハウジングにそれぞれ収容され互いに接続可能な第１及び第２接続端子と、前記第１コネクタハウジングに直接又は間接的に、前記第１及び第２接続端子の嵌合方向にスライド自在に装着され、前記第１及び第２接続端子の嵌合時に前記第１接続端子を前記第２接続端子側に突出させる穴部が形成された第１防塵カバー部材とを備えてなることを特徴とする。
【０００７】
なお、この防塵コネクタは、例えば第１コネクタハウジングに収容されて第１接続端子を固定する第１リテーナと、第２コネクタハウジングに収容されて第２接続端子を固定する第２リテーナとを備えても良く、第１リテーナは、第１コネクタハウジングと第１防塵カバー部材とを移動可能に連結し、第１防塵カバー部材が摺動可能に支持される支持部を備え、第２リテーナは、第１及び第２接続端子の嵌合時に先端部で第１防塵カバー部材を押して第１防塵カバー部材をスライドさせるものであると良い。
【０００８】
また、この防塵コネクタの第１コネクタハウジングは、例えば複数の第１接続端子をそれぞれ収容する複数の第１端子収容室と、これら複数の第１端子収容室の一部とそれぞれ連通する連通部と、複数の第１端子収容室の各第１端子収容室間に形成され連通部と第１及び第２接続端子の嵌合方向に連通する絶縁部挿入口と、複数の第１端子収容室と連通し第１リテーナを収容するリテーナ収容室と、複数の第１端子収容室、絶縁部挿入口及びリテーナ収容室と連通し第２コネクタハウジングが内側に嵌合する周壁部を有する凹状の第１嵌合部とを備えると良く、第２コネクタハウジングは、例えば第１嵌合部内に嵌る凸状の第２嵌合部と、この第２嵌合部の外側に形成され周壁部の外壁に嵌る外周壁部と、第２嵌合部の内部に形成され複数の第２接続端子をそれぞれ収容する複数の第２端子収容室とを備えると良く、複数の第１及び第２接続端子は、例えばそれぞれ先端側に形成されて互いに接続可能な接続部と、基端側に形成されて電線の芯線と接続される電線接続部及び電線を固定保持する電線固定部とを備え、複数の第１接続端子は、例えばそれぞれ接続部及び電線接続部間に第１接続端子の先端側から基端側に向かって外側に斜めに開く形状の弾性接触片からなる短絡部を有する中間部を備え、第１防塵カバー部材は、例えば第１嵌合部内の周壁部内側に装着され、第１及び第２コネクタハウジングの嵌合時に第１嵌合部内を第１及び第２接続端子の嵌合方向にスライド移動可能な構造からなり、第１嵌合部の開口部分を塞ぐ形状の蓋部と、この蓋部に一体的に備えられ第１及び第２コネクタハウジングの嵌合時に絶縁部挿入口に挿入される絶縁部とを備え、第１リテーナは、例えば支持部と一体的に備えられリテーナ収容室に収容される基台部を備え、第２リテーナは、例えば第２嵌合部の外壁部に嵌合装着される構造からなり、第１防塵カバー部材の蓋部は、例えば第１接続端子を第２接続端子側に突出させる穴部と、第１リテーナの支持部が挿通する挿通口とを備え、第１リテーナの支持部は、例えば先端側に形成されて蓋部の挿通口の第１嵌合部開口側周縁部に係合し第１防塵カバー部材の第１嵌合部内からの脱落を防止する係合突起部を有し、第１防塵カバー部材と第２リテーナとは、例えば第１及び第２コネクタハウジングの嵌合・離脱時に互いに係合部を介して係合され第１及び第２接続端子の嵌合方向に連動して移動すると共に、第１及び第２コネクタハウジング離脱時に第１防塵カバー部材が第１嵌合部の開口先端側まで移動したうえで係合部の係合状態が解除されて完全離脱する構造からなり、複数の第１接続端子は、例えば複数の第１端子収容室内で、第１及び第２コネクタハウジング離脱時には連通部において各第１接続端子の短絡部の弾性接触片同士が接触し短絡状態となると共に、第１及び第２コネクタハウジング嵌合時には連通部において第１防塵カバー部材の移動により絶縁部挿入口に挿入された絶縁部によって各第１接続端子の短絡部の弾性接触片同士の接触が解除され絶縁状態となると良い。
【０００９】
なお、例えば第１コネクタハウジングに収容される第１接続端子の中間部は筒状に形成され、弾性接触片は、筒状の中間部の側壁に形成されていると良い。
【００１０】
また、この防塵コネクタには、第２コネクタハウジングの先端側開口部分を塞ぐ状態で取り付けられる第２防塵カバー部材が更に備えられても良い。
【発明の効果】
【００１１】
本発明によれば、第１防塵カバー部材が第１コネクタハウジングに直接又は間接的に、第１及び第２接続端子の嵌合方向にスライド自在に装着されているため、第１コネクタハウジングへの防塵カバーの着脱作業が不要となる。このため、コネクタ嵌合時の防塵カバー部材の着脱作業が簡素化され、コネクタ嵌合時の作業効率を高めることができる。
また、この防塵コネクタでは、第１コネクタハウジングに収容される複数の第１接続端子の短絡部の弾性接触片同士が、第１及び第２コネクタハウジング離脱時には接触して短絡すると共に、第１及び第２コネクタハウジング嵌合時には第１防塵カバー部材の移動に伴い絶縁部挿入口に挿入された絶縁部により接触が解除され絶縁される。このように、第１接続端子間を短絡させる短絡部材が予め第１接続端子に備えられ、且つ第１接続端子間を絶縁する絶縁部材が予め第１防塵カバー部材に備えられているため、別途第１接続端子間を短絡させるための短絡部材や第１接続端子間の短絡を解除するための絶縁部材等が不要となり、部品点数や組立工数を減らして安価に製造することができる。
【発明を実施するための最良の形態】
【００１２】
以下、添付の図面を参照して、本発明の好ましい実施の形態を説明する。
【００１３】
図１は、本発明の一実施形態に係る防塵コネクタの第１コネクタハウジング側を示す分解斜視図、図２は、この防塵コネクタの第２コネクタハウジング側を示す分解斜視図、図３は、この防塵コネクタの嵌合状態を説明するための一部断面図、図４は、この防塵コネクタの第１コネクタハウジングを示す一部断面図、図５は、この防塵コネクタの完全嵌合状態を説明するための一部断面図、図６は、この防塵コネクタの第１コネクタハウジングを示す一部断面図である。以下、これらの図面を参照してこの防塵コネクタを説明する。
【００１４】
図３に示すように、防塵コネクタ３は、互いに嵌合可能な構造の第１コネクタハウジング（以下、「第１ハウジング」と略記する。）１０（図１参照）及び第２コネクタハウジング（以下、「第２ハウジング」と略記する。）２０（図２参照）と、これら第１及び第２ハウジング１０，２０にそれぞれ収容され互いに接続可能な構造の第１接続端子３０及び第２接続端子４０と、第１ハウジング３０に装着される第１防塵カバー部材としての第１防塵カバー５０と、第１及び第２ハウジング１０，２０にそれぞれ収容される第１リテーナ６０及び第２リテーナ８０とを備えて構成され、更にここでは第２ハウジング２０に装着される第２防塵カバー部材としての第２防塵カバー７０を備えて構成されている。
【００１５】
第１ハウジング１０は、図１に示すように、複数の第１接続端子３０をそれぞれ収容する複数の第１端子収容室１１と、これら複数の第１端子収容室１１の一部をそれぞれ収容された複数の第１接続端子３０の配列方向に連通する連通部１２（図３参照）と、これら複数の第１端子収容室１１の各第１端子収容室１１間に形成され連通部１２と第１及び第２接続端子３０，４０の嵌合方向に連通する絶縁部挿入口１３と、複数の第１端子収容室１１と連通し第１リテーナ６０を収容するリテーナ収容室１６と、複数の第１端子収容室１１及び絶縁部挿入口１３及びリテーナ収容室１６と連通し後述する第２ハウジング２０の凸状の第２嵌合部２４（図２参照）が内側に嵌合する周壁部１５を有する凹状の第１嵌合部１４とを備えて構成されている。
【００１６】
複数の第１接続端子３０は、例えば金属母材を打ち抜き／折り曲げ加工して形成され、先端側に形成された第２接続端子４０の接続部４１と接続可能な接続部３１と、基端側に形成された電線９０の芯線９１と接続される電線接続部３２及び電線９０を接続端子３０に固定保持する電線固定部３３と、接続部３１及び電線接続部３２間に形成された、第１接続端子３０の先端側から基端側に向かって外側に斜めに開く形状の弾性接触片３５からなる短絡部を有する中間部３４とを備えて構成されている。なお、ここでは中間部３４は、筒型に形成されている。
【００１７】
この第１接続端子３０の中間部３４には、水平方向の両側壁に接続端子３０の先端側から基端側に向かって外側に斜めに開く形状の複数の弾性接触片３５からなる短絡部が形成されている。なお、ここではこの弾性接触片３５は、中間部３４の水平方向の両側壁に形成されているが、例えば第１接続端子３０の第１ハウジング１０での配列形態に適宜対応させて垂直方向及び水平方向の少なくとも一方の側壁に、隣接する第１接続端子３０の弾性接触片３５と接触できる形態で形成されていれば良い。
【００１８】
このように構成された第１接続端子３０では、例えば隣接する第１接続端子３０の中間部３４の弾性接触片３５同士が接触する状態でハウジングなどに複数配列すれば、バスバーなどの短絡部材を別途用いなくても各第１接続端子３０を短絡させることが可能となる。
【００１９】
これら複数の第１接続端子３０は、複数の第１端子収容室１１に収容された際に、それぞれ中間部３４の弾性接触片３５同士が連通部１２において接触した状態となる。このため、第１ハウジング１０内では、上述したように各第１接続端子３０が電気的に短絡した状態となる。なお、複数の第１接続端子３０は、それぞれ第１端子収容室１１内に収容された後、第１端子収容室１１と連通するリテーナ収容室１６に収容された後述する第１リテーナ６０の基台部６２により押えられると共にこの基台部６２により第１接続端子３０側に押し付けられたランス部１９（図６参照）により係止され第１端子収容室１１内に係止固定されている。また、各接続端子３０の電線固定部３３には、電線９０の端末部に装着されたワイヤシール９７の端部も固定されている。
【００２０】
第１防塵カバー５０は、第１ハウジング１０の第１嵌合部１４内の周壁部１５内側に装着され、第１及び第２ハウジング１０，２０の嵌合時に第１嵌合部１４内を第１及び第２接続端子３０，４０の嵌合方向にスライド移動可能な構造からなり、第１嵌合部１４の開口部分を塞ぐ形状の蓋部５１と、この蓋部５１に一体的に備えられ両ハウジング１０，２０嵌合時に第１ハウジング１０の絶縁部挿入口１３に挿入される板状の絶縁部５２とを備えて構成されている。この第１防塵カバー５０は、両ハウジング１０，２０非嵌合時の第１嵌合部１４内への塵や埃の浸入を防止する。
【００２１】
なお、第１防塵カバー５０の蓋部５１には、例えば複数の第１接続端子３０の接続部３１と後述する複数の第２接続端子４０の接続部４１との接続位置と対応する箇所に、複数の第１接続端子３０を第２接続端子４０側に突出させこれら接続部３１，４１同士の接続を妨げないような形状の複数の穴部５３と、後述する第１リテーナ６０の支持部６１が挿通する挿通口５４とが備えられ、更に第１嵌合部１４内に装着された際に第１嵌合部１４開口側となる端部に、後述する第２リテーナ８０の係合片８５が係合する係合枠５５が備えられている。
【００２２】
そして、第１リテーナ６０は、上述したように第１ハウジング１０と第１防塵カバー５０とを第１嵌合部１４内でスライド移動可能に連結するものであり、第１防塵カバー５０を摺動可能に支持する支持部６１と、この支持部６１と一体的に備えられ第１ハウジング１０のリテーナ収容室１６に収容される基台部６２とを備えて構成されている。
【００２３】
なお、第１リテーナ６０の支持部６１には、先端側に形成されて第１防塵カバー５０の蓋部５１の挿通口５４の第１嵌合部１４開口側周縁部に引っ掛かり係合することで、第１防塵カバー５０の第１嵌合部１４内からの脱落を防止するための係合突起部６３が形成されている。
【００２４】
一方、第１ハウジング１０と嵌合する第２ハウジング２０は、第１ハウジング１０の第１嵌合部１４内に嵌る凸状の第２嵌合部２４と、この第２嵌合部２４の外側に形成され第１嵌合部１４の周壁部１５の外壁に嵌る外周壁部２５と、第２嵌合部２４の内部に形成され複数の第２接続端子４０をそれぞれ収容する複数の第２端子収容室２１とを備えて構成されている。
【００２５】
なお、第２ハウジング２０側には、第１及び第２ハウジング１０，２０の不完全嵌合を防止する不完全嵌合防止片９９と、第２嵌合部２４の外壁部に装着される弾性材からなるシール材９８とが備えられている。例えばシール材９８は、第２ハウジング２０の第２嵌合部２４の外壁部の基端側に装着され、両ハウジング１０，２０嵌合時に第１嵌合部１４と第２嵌合部２４との間をシールするものである。また、不完全嵌合防止片９９は、例えば第２ハウジング２０の不完全嵌合防止片収容室２６にバネ１００を介して第１ハウジング１０との嵌合方向に付勢された状態で収容され、第１及び第２ハウジング１０，２０の嵌合時に該嵌合方向に突出して両者の嵌合状態を保持する図示しない係合爪及びこの係合爪が係合する係合片の係合部分を押え、係合爪と係合片との係合状態を簡単に解除できないようにする部材である。
【００２６】
複数の第２接続端子４０は、上記第１接続端子３０と同様に、例えば金属母材を打ち抜き／折り曲げ加工して形成され、先端側に形成された第１接続端子３０の接続部３１と接続する筒型の接続部４１と、基端側に形成された電線９０の芯線９１と接続される電線接続部４２及び電線９０を第２接続端子４０に固定保持する電線固定部４３とを備えて構成されている。なお、第２接続端子４０の接続部４１の内部には、接続端子３０の接続部３１と接触するための接触片４４が形成されている。
【００２７】
第２リテーナ８０は、第２ハウジング２０の第２嵌合部２４の外壁部の先端側に嵌合装着され複数の第２端子収容室２１にそれぞれ収容された第２接続端子４０を第２嵌合部２４内に係止固定する構造からなり、複数の第２端子収容室２１と連通する端子連通口８１と、両ハウジング１０，２０嵌合時に第１防塵カバー５０の蓋部５１の係合枠５５と係合する係合片８５とが備えられている。
【００２８】
第２防塵カバー７０は、第２ハウジング２０の外周壁部２５の開口部分を塞ぐ状態で外周壁部２５の外壁側に嵌められて取り付けられるものであり、両ハウジング１０，２０非嵌合時の第２嵌合部２４への塵や埃の浸入を防止する。
【００２９】
このように構成された防塵コネクタ３では、第１ハウジング１０の複数の第１端子収容室１１内にそれぞれ収容された複数の第１接続端子３０が、中間部３４の弾性接触片３５により短絡状態となるため、別途第１接続端子３０間を短絡させるためのバスバー等の短絡部材が不要となる。また、第１ハウジング１０に連通部１２を有する複数の第１端子収容室１１と、連通部１２と連通する絶縁部挿入口１３と、周壁部１５により凹状に形成された第１嵌合部１４とが形成され、この第１嵌合部１４内に絶縁部挿入口１３に挿入される絶縁部５２を有し第１嵌合部１４内をスライド移動可能な第１防塵カバー５０が装着されているため、第２ハウジング２０の非嵌合時には第１接続端子３０が弾性接触片３５同士が接触することで短絡し、第２ハウジング２０の嵌合時には絶縁部挿入口１３に挿入された絶縁部５２によりこれら弾性接触片３５同士の接触が解除されることで絶縁される。また、第２ハウジング２０の非嵌合時には第１嵌合部１４の開口側が第１防塵カバー５０の蓋部５１で穴部５３を除いて塞がれるため、第１嵌合部１４内への塵や埃の浸入を防ぐと共に第１接続端子３０の折損等を防止することができる。このため、別途防塵カバー部材を第１ハウジング１０に取り付ける必要が無く、また、第１接続端子３０間の短絡状態を解除するための絶縁部材が不要となるため、防塵コネクタ３の部品点数や組立工数を減らして安価に短絡構造を有する防塵コネクタを製造することが可能となる。
【００３０】
また、このように構成された防塵コネクタ３では、第１及び第２ハウジング１０，２０を嵌合・離脱（嵌脱）する場合、第１及び第２防塵カバー５０，７０の着脱作業は第２ハウジング２０の第２防塵カバー７０側だけで済むため、防塵コネクタ３の防塵カバー部材の着脱作業を簡素化して作業効率を向上させることができる。
【００３１】
なお、第１防塵カバー５０と第２リテーナ８０とは、両ハウジング１０，２０の嵌脱時に蓋部５１の係合枠５５及び第２リテーナ８０の係合片８５からなる係合部により係合された状態で第１及び第２接続端子３０，４０の嵌合方向に連動して移動すると共に、係合枠５５と係合片８５との係合力が蓋部５１の挿通口５４と第１リテーナ６０の支持部６１との係合突起部６３による係合力よりも弱いため、両ハウジング１０，２０の離脱時に第１防塵カバー５０が第１嵌合部１４の開口先端側まで移動したうえで係合枠５５と係合片８５との係合状態が解除され完全離脱する。
【００３２】
従って、防塵コネクタ３は、図４に示すように、第１及び第２ハウジング１０，２０の非嵌合時には第１嵌合部１４内が第１防塵カバー５０により防塵されると共に第１接続端子３０間が弾性接触片３５により短絡された状態となり、図５に示すように、第１及び第２ハウジング１０，２０の嵌合時には第１接続端子３０と第２接続端子４０とが接続されると共に第１接続端子３０間が第１防塵カバー５０の絶縁部５２により弾性接触片３５同士の接触が解除されることで絶縁された状態となる構造を実現する。このため、別途短絡部材や絶縁部材を不要とすることができる。
【産業上の利用可能性】
【００３３】
本発明は、塵や埃の浸入を極力防いだ状態で電気的接続を行う各種の用途に利用できる。
【図面の簡単な説明】
【００３４】
【図１】本発明の一実施形態に係る防塵コネクタの第１コネクタハウジング側を示す分解斜視図である。
【図２】同防塵コネクタの第２コネクタハウジング側を示す分解斜視図である。
【図３】同防塵コネクタの嵌合状態を説明するための一部断面図である。
【図４】同防塵コネクタの第１コネクタハウジングを示す一部断面図である。
【図５】同防塵コネクタの完全嵌合状態を説明するための一部断面図である。
【図６】同防塵コネクタの第１コネクタハウジングを示す一部断面図である。
【符号の説明】
【００３５】
３…防塵コネクタ、１０…第１コネクタハウジング、１１…第１端子収容室、１２…連通部、１３…絶縁部挿入口、１４…第１嵌合部、１５…周壁部、１６…リテーナ収容室、２０…第２コネクタハウジング、２１…第２端子収容室、２４…第２嵌合部、２５…外周壁部、３０…第１接続端子、３１，４１…接続部、３２，４２…電線接続部、３３，４３…電線固定部接続部、３４…中間部、３５…弾性接触片、４０…第２接続端子、４４…接触片、５０…第１防塵カバー、５１…蓋部、５２…絶縁部、５３…穴部、５４…挿通口、５５…係合枠、６０…第１リテーナ、６１…支持部、６２…基台部、６３…係合突起部、７０…第２防塵カバー、８０…第２リテーナ、８１…端子連通口、８５…係合片、９０…電線、９１…芯線。
【図１】
2005158454.tif 000003
【図２】
2005158454.tif 000004
【図３】
2005158454.tif 000005
【図４】
2005158454.tif 000006
【図５】
2005158454.tif 000007
【図６】
2005158454.tif 000008